(57)【要約】【課題】メンテナンス性が高く効率的な照明を行える照明装置を提供する。【解決手段】発光素子２０は、ケース１１の中央部方向へと、発光面１３と略平行に光束を照射し、反射板１２は、発光素子２０近傍に備えられる、発光面１３と略平行の第１の反射面１２ａと、ケース１１の中央部近傍に備えられる、発光面１３と所定の角度をなす第２の発光面１５とを備えることを特徴とする。【選択図】図１
2010164810.tif 000002
【特許請求の範囲】
【請求項１】
内部が空洞の箱形のケースと、前記ケースの内壁に備えられる発光素子と、前記ケースの一の面に備えられる発光面と、前記一の面と対向する面の内壁に備えられ、前記発光素子の光束を前記発光面方向へと反射する反射板と、を備える照明装置であって、
前記発光素子は、前記ケースの中央部方向に、前記発光面と略平行の光束を照射し、
前記反射板は、前記発光素子近傍に備えられる第１の反射面と、前記ケースの中央部近傍に備えられ、前記発光面と所定の角度をなす第２の反射面とを備えることを特徴とする照明装置。
【請求項２】
前記発光素子は、前記ケースの四隅それぞれに備えられることを特徴とする請求項１に記載の照明装置。
【請求項３】
前記第２の反射面に、前記発光面へと光束を照射する第２の発光素子を備えることを特徴とする請求項１又は２に記載の照明装置。
【請求項４】
前記反射板は、その中央部付近に、前記発光面側へと錐体状に隆起した突起部を備え、前記錐体の側面が前記第２の反射面であることを特徴とする請求項１から３のいずれか一つに記載の照明装置。
【請求項５】
前記突起部は、四角錐形状であることを特徴とする請求項４に記載の照明装置。
【請求項６】
前記突起部は、前記発光面へと向かうに従って、その断面積が段階的に小さくなるように、四角錐台形状が積層された構造を有し、前記四角錐台形状の側面が前記第２の反射面であることを特徴とする請求項４に記載の照明装置。
【発明の詳細な説明】
【技術分野】
【０００１】
本発明は、メンテナンス性が高く効率的な照明を行える照明装置に関する。
【背景技術】
【０００２】
近年、高輝度のＬＥＤ素子が開発されるようになり、屋外看板等の内式照明にＬＥＤ素子を用いることが多くなっている。ＬＥＤ素子は、白熱球や蛍光灯と比較して寿命が長く、また、調光が可能であるいう利点があるが、光線の直進性が高いため、発光源として用いる場合には、ＬＥＤ素子からの光を目的の方向に適切に導く必要がある。
【０００３】
このような照明装置として、導光板の入射端面に拡散層を設け、固体発光素子からの出射光を前記拡散層により拡散させて前記導光板にその入射端面のほぼ全域から入射させるようにした面光源が開示されている（特許文献１参照。）。
【特許文献１】特開２００２−１９７９１６号公報
【発明の開示】
【発明が解決しようとする課題】
【０００４】
従来は、ＬＥＤ素子のからの出射光を導光板により導いていた。しかしながら、この導光板はアクリル樹脂等から構成され、その重量が重くなり、また、所定の形状に加工するためのコストも小さくない。
【０００５】
特に、屋外看板の内式照明にこのような照明装置を適用する場合は、照明装置が大型化するため、導光板が大型化し、その重量も重くなると共に、製造コスト、加工コストも大きくなる。
【０００６】
さらに、照明装置の内部に導光板を備えた場合は、ＬＥＤ素子が故障した場合の交換の作業工数が増加する。特に、高所に設置される看板では、ＬＥＤ素子の交換に困難が伴い、メンテナンス性が低下する。
【０００７】
本発明はこのような問題点に鑑みてなされたものであり、屋外看板等の内式照明に用いられるような大型の照明装置に関し、輝度を確保すると共に、製造コストが低く、メンテナンス性の高い照明装置を提供することを目的とする。
【課題を解決するための手段】
【０００８】
本発明は、内部が空洞の箱形のケースと、ケースの内壁に備えられる発光素子と、ケースの天井部に備えられる発光面と、ケースの底部に備えられ、発光素子の光束を発光面方向へと反射する反射板と、を備える照明装置であって、発光素子は、ケースの中央部方向へと発光面と略平行に光束を照射し、反射板は、発光素子近傍に備えられる、発光面と略平行の第１の反射面と、ケースの中央部近傍に備えられる、発光面と所定の角度をなす第２の発光面とを備えることを特徴とする。
【発明の効果】
【０００９】
本発明によると、ケースの内部を中空として、簡易な構造の反射板を備えることにより、例えば高所に設置される看板などの内式照明に本発明の照明装置を用いることで、照明装置を軽量化できることによる設置コストの低減や、発光素子の交換など、メンテナンスコストを低減することができる。
【発明を実施するための最良の形態】
【００１０】
以下に本発明の実施形態を図面に基づいて説明する。
【００１１】
図１は、本発明の実施形態の照明装置１０の説明図である。
【００１２】
なお、図１（ａ）は、照明装置１０の平面的な内部配置図を、図１（ｂ）は、断面図を示す。
【００１３】
照明装置１０は、内部が空洞であり、箱形の外形を有するケース１１と、発光素子である複数のＬＥＤモジュール２０とから構成される。
【００１４】
ケース１１は、直方体形状であり、その天井部の面が発光面１３として構成されている。この発光面１３から光を照射することによって、看板等の発光源として機能する。
【００１５】
ケース１１の内部の底面は、ＬＥＤモジュール２０から放射される光を反射して、発光面１３側へと導くための反射板１２として構成されている。
【００１６】
この反射板１２は、平板状の反射面１２ａ（第１の反射面）と、ケース１１の底面の中央部分に備えられ、発光面１３側へと突起した突起部１５（第２の反射面）と、を備える。
【００１７】
突起部１５は、その頂部が四角錐状であり、側面が段状に構成されている。この突起部１５は、ＬＥＤモジュール２０の光束に対して、所定の角度をなすように構成されている。このような構造により、反射板１２が、ＬＥＤモジュール２０からの光束が、ＬＥＤモジュール２０側からケース１１の中央部側へといくつかの反射面により反射されて、発光面１３へと導くように構成されている。
【００１８】
図１に示す例では、突起部１５の断面積が、段階的に小さくなるように構成されている。具体的には、底面側から突起部１５ａ、突起部１５ｂ、突起部１５ｃと、階段状の構造を有する。
【００１９】
ＬＥＤモジュール２０は、一又は複数の高輝度発光ダイオード（ＬＥＤ）素子を備えている。このＬＥＤモジュール２０は、ケース１１の内壁の四隅それぞれに備えられ、ケース１１の中央部方向へと、発光面１３と略平行の光束を照射するように設置される。
【００２０】
また、図１（ｂ）に示すように、ケース１１の開口部は、プレート３０により覆われている。このプレート３０は、ＬＥＤモジュール２０から照射され、反射板１２により反射された光を適切に拡散して、照明装置１０の発光面１３がほぼ均一な明るさで発光するように構成されている。すなわち、このプレート３０が発光装置１０の発光面１３となる。
【００２１】
ＬＥＤモジュール２０は、ケース１１の中央方向を照射する。このとき、ＬＥＤモジュール２０の近傍では、ＬＥＤモジュール２０の光束の一部がケース１１の反射板１２に反射し、またのその一部がプレート３０を直接照射する。これにより、ＬＥＤモジュール２０の近傍の発光面１３が発光する。
【００２２】
また、ＬＥＤモジュール２０からの光束の多くは、ケース１１の中央部に設けられた突起部１５に反射する。このとき、光束は、底面側に近い突起部１５ａから、突起部１５ｂ、突起部１５ｃにそれぞれ反射して、プレート３０を照射する。これにより、発光面１３の中央部付近が発光する。
【００２３】
すなわち、ケース１１の反射板１２は、ＬＥＤモジュール２０に距離が近い側（突起部１５ａ）から、距離が遠い側（突起部１５ｃ）へと、段階的に光を反射する構造を備えている。
【００２４】
このように構成することによって、反射板１２が、発光源であるＬＥＤモジュール２０に近い側から、遠い側（ケース１１の中央部付近）へと、まんべんなく光束を発光面１３側に導くことができる。これにより、ＬＥＤモジュール２０の個数を少なく抑えながらも、照明装置１０を効率よく発光させることができる。
【００２５】
また、照明装置１０の内部はＬＥＤモジュール２０と突起部１５以外の構造物は存在しない。そのため、ＬＥＤモジュール２０が故障した場合にも、プレート３０を取り外すことにより、ＬＥＤモジュール２０を容易に交換することができるので、メンテナンスのコストを低減することができる。
【００２６】
また、突起部１５は、例えば平板からプレス加工等により成形することで、部品点数を削減できると共に軽量化が可能である。
【００２７】
また、照明装置１０を軽量化できると共に、メンテナンス性を向上できるので、サインポールなど、高所に設定する看板などの内式照明に、本実施形態の照明装置１０を適用することにより、メンテナンス性の高い看板を提供することが可能となる。
【００２８】
なお、図１では、突起部１５が三段階の構造を有する例を示したが、これに限られることはなく、さらに多段型の構造としてもよい。
【００２９】
図２は、本発明の実施形態の照明装置１０の他の構成例である。
【００３０】
前述の図１に示した例では、突起部１５を階段状に構成したが、図２に示す例では、突起部１５を、底面側から開口部側へと向かって連続してその断面積が小さくなっていくように構成した。
【００３１】
この突起部１５の形状は、例えば四角錐や円錐形状とする。
【００３２】
このように、突起部の構造をより簡素化した場合は、前述の図１に示した例と比較して、突起部１５の加工コストをより低減することができる。そして、このように構成した場合であっても、照明装置１０の輝度を低下させることなく、発光面１３をまんべんなく発光させることができる。
【００３３】
図３は、本発明の実施形態の照明装置１０のさらに他の構成例である。
【００３４】
この図３に示す例では、突起部１５の中央部付近に、補助光を発光する補助ＬＥＤ２２を備えた。
【００３５】
この補助ＬＥＤ２２は、ＬＥＤモジュール２０とは異なり、発光面１３側へと光束を照射するように構成されている。
【００３６】
なお、この補助ＬＥＤ２２は、ＬＥＤモジュール２０ほどの輝度は必要ないため、低輝度で安価なものを用いることができる。
【００３７】
このように構成することによって、前述の図１及び図２のように構成してもなお、照明装置１０の中央部付近の輝度が不足する場合に、補助ＬＥＤ２２の光束によって、照明装置１０の発光面１３の輝度を上げることができると共に、発光面１３をまんべんなく発光させることができる。
【００３８】
なお、図３に示す例では、五つの補助ＬＥＤ２２を備えたが、この補助ＬＥＤ２２の位置及び場所は、発光面１３の輝度の分布に応じて、適宜決めうるものである。
【００３９】
なお、前述の図２にと同様に、突起部１５を階段状とせず、連続して断面積は小さくなっていくように構成してもよい（図４）。この場合、突起部１５は、例えば四角錐台や円錐台形状とし、その台上部に、補助ＬＥＤ２２を備える。
【００４０】
なお、図３及び図４のように補助ＬＥＤ２２を備えた場合であっても、ケース１１の内部は空洞であるため、ＬＥＤモジュール２０及び補助ＬＥＤ２２のメンテナンス作業が犠牲となることはない。
【００４１】
図５は、本発明の実施形態の照明装置１０のさらに他の構成例である。
【００４２】
この図５に示す例では、突起部１５が、図１と同様に、その断面積が、段階的に小さくなるように階段状に構成されている。
【００４３】
そしてさらに、図５に示す例では、突起部１５の側面が、ＬＥＤモジュール２０の光束に対して直角となるように構成した。
【００４４】
このように構成することによって、ＬＥＤモジュール２０からの光束をより効率よく反射し、照明装置１０の輝度を高くすることができる。
【００４５】
なお、突起部１５を図２に示すような四角錐形状として、その側面がＬＥＤモジュール２０の光束に対して垂直となるように構成してもよい。
【００４６】
また、図３及び図４に示すように、突起部１５の頂部に補助ＬＥＤ２２を備えてもよい。
【００４７】
以上説明したように、本発明の実施形態は、照明装置１０の内部に、発光素子であるＬＥＤモジュール２０と反射板１２とを備え、反射板１２は、ＬＥＤモジュール２０の近傍に備えられる第１の反射面１２ａと、ケース１１の中央部近傍に備えられ、発光面１３と所定の角度をなす第２の反射部（突起部１５）とから構成されている。
【００４８】
このような構成によって、ケース１１内部に重量が大きく加工コストがかさむ導光板を備えることなく、少ない個数のＬＥＤモジュール２０で、発光面１３の輝度を確保することができ、照明装置１０を軽量化することができると共に、製造コスト、メンテナンスコストを低減することができる。
【００４９】
特に、ケース１１内部は、反射板１２の突起部１５が形成されている以外は空洞であるため、ＬＥＤモジュール２０の故障時にも、プレート３０を取り外すだけで容易に交換を行うことができる。これにより、メンテナンスコストを低減することができる。
【００５０】
また、突起部１５は、簡易な構造であるため、プレス加工等により形成することにより、使用部品点数を削減できるので、製造コストを低減することができる。
【００５１】
なお、本実施形態の照明装置１０は、発光素子としてＬＥＤ素子からなるＬＥＤモジュール２０を備えているで、調光制御を行うことができる。例えば、周囲の環境照度を検出する照度センサを用いて照度を検出し、この照度に基づいて照明装置１０の輝度を調整する制御装置を備えてもよい。このように構成することによって、昼間は視認性を高めるために照明装置１０の輝度を高くする一方、夜間はハレーションによる視認性の低下を防ぐために照明装置１０の輝度を低くするような制御を行うことができる。
【図面の簡単な説明】
【００５２】
【図１】本発明の実施形態の照明装置の説明図である。
【図２】本発明の実施形態の照明装置の他の例の説明図である。
【図３】本発明の実施形態の照明装置のさらに他の例の説明図である。
【図４】本発明の実施形態の照明装置のさらに他の例の説明図である。
【図５】本発明の実施形態の照明装置のさらに他の例の説明図である。
【符号の説明】
【００５３】
１０    照明装置
１１    ケース
１２    反射板
１２ａ  反射面（第１の反射面）
１３    発光部
１５    突起部（第１の突起部）
２０    ＬＥＤモジュール
２２    補助ＬＥＤ素子
３０    プレート
【図１】
2010164810.tif 000003
【図２】
2010164810.tif 000004
【図３】
2010164810.tif 000005
【図４】
2010164810.tif 000006
【図５】
2010164810.tif 000007